(57)【要約】【課題】電動モータへの負担を軽減することが出来る、新規な構造の遊技機用発光装置を提供することを、目的とする。【解決手段】ハウジング５８が中心軸線：Ｌ２回りで電動モータ６１によって回動せしめられるようになっている。また、棒状導光部材４２がハウジング５８に固定された状態でハウジング５８の中心軸線：Ｌ２が延びる方向での投影においてハウジング５８の中心軸線：Ｌ２よりも長手方向一端側に対して、長手方向一端側の端面に向かって次第に断面積が大きくなる膨出部５４が形成されている。更にまた、膨出部５４の端面５５に開口する凹部９６が形成されており、かかる凹部９６に発光源８６が入り込んで配されている。【選択図】図１０
2007319261.tif 000002
【特許請求の範囲】
【請求項１】
中心軸線回りで回動可能に配されたハウジングと、
該ハウジングを前記中心軸線回りで回動駆動せしめる電動モータと、
前記ハウジングに収容配置された発光源と、
前記中心軸線と略直交して前記ハウジングに対して長手方向一端側が差し入れられて固定されていることによって該ハウジングから長手方向他端側が延び出して該ハウジングと一体的に回動せしめられるようになっており、該ハウジングに固定された状態で該ハウジングの該中心軸線が延びる方向での投影において該中心軸線よりも長手方向一端側には、長手方向一端側の端面に向かって次第に断面積が大きくなる膨出部が形成されていると共に、該端面に開口する凹部が形成されており、該凹部に前記発光源が入り込んで配されるようになっている棒状導光部材と
を、備えていることを特徴とする遊技機用発光装置。
【発明の詳細な説明】
【技術分野】
【０００１】
本発明は、棒状の導光部材の軸方向一端側にＬＥＤ等の発光源が配された遊技機用発光装置に関するものである。
【背景技術】
【０００２】
従来から、パチンコ機やスロットマシン等の遊技機においては、遊技を盛り上げること等を目的として、様々な発光装置が設けられている。その一種として、例えば、特許文献１に記載されているように、透明な柱状導光体の長手方向一端側に配置された光源が発する光を柱状導光体に入射させて、柱状導光体内を進むようにし、かかる柱状導光体内を進む光を柱状導光体の周面に形成された反射層で反射させる発光装置が知られている。
【０００３】
しかしながら、上述の如き構造の発光装置においては、特許文献１にも示されているように、遊技機に固定された状態で使用されるようになっていることから、遊技者を楽しませるという点において、十分な効果を発揮することが難しい。
【０００４】
そこで、遊技者を楽しませるために、上述の如き構造とされた発光装置を動かすことが考えられる。具体的には、例えば、柱状導光体において光源が配置された側を中心として柱状導光体やその長手方向一端側に配置された光源等を一軸回りに回動させること等が考えられる。
【０００５】
ところで、柱状導光体において光源が配置された側を中心として柱状導光体やその長手方向一端側に配置された光源等を一軸回りに回動させる場合、例えば、柱状導光体の長手方向一端側や光源等をケースに収容し、ステッピングモータ等で構成された電動モータの駆動力を減速手段としての減速歯車列を介してケースに伝達させて、ケース自体を一軸回りに回動させることにより、柱状導光体やその長手方向一端側に配置された光源等を一軸回りに回動させることが考えられる。
【０００６】
しかしながら、上述の如き方法を採用する場合、柱状導光体の長手方向一端側はケースに収容されるが、長手方向他端側はケースの外側に位置せしめられていることから、ケースの回転中心に対する重量のバランスが悪くなってしまい、電動モータへの負担が大きくなってしまうという問題がある。
【０００７】
【特許文献１】特開２００３−３０８７０５号公報
【発明の開示】
【発明が解決しようとする課題】
【０００８】
ここにおいて、本発明は、上述の如き事情を背景として為されたものであって、その解決課題とするところは、電動モータへの負担を軽減することが出来る、新規な構造の遊技機用発光装置を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明の遊技機用発光装置は、中心軸線回りで回動可能に配されたハウジングを備えていると共に、かかるハウジングをその中心軸線回りで回動駆動せしめる電動モータを備えていることを、特徴とする。また、本発明の遊技機用発光装置は、ハウジングに収容配置された発光源を備えていると共に、中心軸線と略直交してハウジングに対して長手方向一端側が差し入れられて固定されていることによってハウジングから長手方向他端側が延び出してハウジングと一体的に回動せしめられるようになっており、ハウジングに固定された状態でハウジングの中心軸線が延びる方向での投影においてかかる中心軸線よりも長手方向一端側には、長手方向一端側の端面に向かって次第に断面積が大きくなる膨出部が形成されていると共に、この膨出部の端面に開口する凹部が形成されており、かかる凹部に発光源が入り込んで配されるようになっている棒状導光部材を備えていることも、特徴とする。
【００１１】
このような本発明に従う構造とされた遊技機用発光装置においては、棒状導光部材がハウジングに固定された状態でハウジングの中心軸線が延びる方向での投影においてハウジングの中心軸線よりも長手方向一端側に対して、長手方向一端側の端面に向かって次第に断面積が大きくなる膨出部が形成されていることから、棒状導光部材の長手方向においてハウジングの回動中心となる中心軸線を挟んだ両側での重量バランスを有利に確保することが可能となる。その結果、電動モータへの負担を軽減することが可能となる。
【００１２】
特に、本発明では、棒状導光部材の長手方向一端側の端面、即ち、膨出部の端面側に発光源が配されていることから、棒状導光部材の長手方向においてハウジングの回転中心となる中心軸線を挟んだ両側での重量バランスを一層有利に確保することが可能となる。その結果、電動モータへの負担を一層軽減することが可能となる。
【００１３】
また、本発明においては、棒状導光部材の膨出部の端面に開口形成された凹部に発光源が入り込んで配されていることから、発光源が発する光を集光させて長手方向他端側へと導くことが可能となる。
【００１４】
なお、本発明において、ハウジングとは、発光源が発する光を外部に漏れ難くすることが出来る構造であれば、特に限定されることはないが、ハウジングの回動中心軸線が延びる方向で組み付けられる複数の部材によって構成されていることが望ましい。これにより、ハウジングの組付作業やハウジングへの棒状導光部材の固定作業を有利に実現することが可能となる。
【００１５】
また、本発明において、電動モータとは、電気的に駆動制御可能なモータであれば、特に限定されることはなく、例えば、従来から公知のステッピングモータ等が採用される。
【００１６】
さらに、本発明において、発光源とは、発光ダイオード（ＬＥＤ）や有機ＥＬ等の従来から公知のものが何れも採用可能である。そこにおいて、本発明では、発光源が発する光の色は一色に限定されることはなく、例えば、発光源としてフルカラーＬＥＤを採用することにより、多数の色の光を発することが出来るようにしても良い。また、発光源の数は一つに限定されず、二つ以上の発光源を採用することも可能である。そこにおいて、複数の発光源を採用する場合、これら複数の発光源のそれぞれが発する光の色は互いに異なっていることが望ましく、それによって、各発光源が発する光の色を組み合わせることにより、様々な色の光を発することが可能となる。
【００１７】
また、本発明において、棒状導光部材は中実であっても良いし、中空であっても良い。更に、本発明において、棒状導光部材の形成材料としては、屈折率が高い透明材料であれば、特に限定されることはなく、例えば、ガラスやアクリル樹脂，ポリスチレン，ポリカーボネート等が採用される。更にまた、本発明における棒状導光部材の成形方法としては、射出成形や押し出し成形等が考えられる。また、本発明において、膨出部とは、端面に向かって次第に断面積が大きくなる形状であれば、特に限定されることはなく、例えば、円錐形状や半球形状，台形ブロック形状，半円形ブロック形状等が採用可能である。そこにおいて、本発明の膨出部は、断面積が大きくなる割合が直線的であることが好ましく、特に本発明では、厚さ寸法は略一定であるが、幅寸法が大きくなる割合が直線的であることにより、断面積が大きくなる割合が直線的であることが好ましい。また、本発明において、膨出部の端面は、棒状導光部材の長手方向に対して直交していても良いし、直交していなくても良い。
【発明を実施するための最良の形態】
【００１８】
以下、本発明を更に具体的に明らかにするために、本発明の実施形態について、図面を参照しつつ、詳細に説明する。
【００１９】
先ず、図１には、遊技機としてのパチンコ機１０が示されている。このパチンコ機１０は、機体の外郭を為す外枠１２の開口前面側において、縦長方形の中枠１４が開閉及び着脱自在に組み付けられた構造とされている。また、中枠１４には、後述する遊技領域３０が形成された遊技盤１６（図２参照）が着脱自在に組み付けられており、かかる遊技領域３０が、中枠１４に対して開閉可能に組み付けられたガラス枠１８によって保持されているガラス板を通して遊技者に視認されるようになっている。そして、中枠１４に設けられた操作ハンドル２０に対して回動可能に装着された操作レバー２２が遊技者に回動操作されることにより、中枠１４に設けられた上皿２４に貯留されている遊技球が、図示しない球送り機構を介して発射装置（図示せず）に送られた後、遊技領域３０に向けて発射されるようになっている。
【００２０】
続いて、中枠１４に組み付けられている遊技盤１６について説明する。この遊技盤１６は、図２に示されているように、遊技板２６の表面側にレールセット２８が設けられた構造とされており、それによって、遊技板２６の表面側に略円形の遊技領域３０が区画形成されている。
【００２１】
このようにして形成された遊技領域３０の中央には、装飾物としてのセンター飾り３２が設けられている。このセンター飾り３２は、全体として額縁形状を呈しており、その開口部分を通じて、遊技板２６に取り付けられた液晶表示器３４の表示画面が遊技者に視認されるようになっている。
【００２２】
また、遊技領域３０においてセンター飾り３２の下方には、始動入賞装置３６と特別可動入賞装置３８がこの順番で設けられている。そして、遊技者が発射した遊技球が始動入賞装置３６に入賞すると、液晶表示器３４の表示画面において複数の特別図柄（図示せず）の変動表示が開始されるようになっており、かかる複数の特別図柄が所定の図柄組み合わせで停止表示された場合に、特別可動入賞装置３８の開口部を覆蓋する扉が開かれて、特別可動入賞装置３８への遊技球の入賞が可能となる特別遊技状態が発生するようになっている。
【００２３】
そこにおいて、本実施形態のセンター飾り３２には、本発明の一実施形態の遊技機用発光装置としての棒状発光装置４０が取り付けられている。この棒状発光装置４０は、図３に示されているように、装置本体４１が駆動機構４３によって駆動せしめられる構造とされている。
【００２４】
より詳細には、装置本体４１は、図４乃至６に示されているように、棒状導光部材としての導光ロッド４２を含んで構成されている。この導光ロッド４２は、アクリル樹脂等の透明な硬質材料によって形成されており、図７乃至図９に示されているように、全体として中心軸線が真っ直ぐに延びるストレートな棒状部材とされている。特に本実施形態では、導光ロッド４２の長手方向となる軸方向の中間部分において、一組の対辺が平行とされた台形断面で軸方向の一端側（図７における右端側）から他端側（図７における左端側）へ延びると共に、かかる台形断面の高さ寸法（図９における上下方向の寸法）が軸方向の一端側から他端側へと行くに従って次第に小さくなるように設定された露出部４４を備えている。なお、本実施形態では、露出部４４の台形断面において第二の対辺構成面４８（後述する）の側の二つの角には、角取りが施されている。
【００２５】
そこにおいて、本実施形態では、軸方向の一端側から他端側へ行くに従って、露出部４４の軸直角方向での断面形状である台形における一組の平行な対辺の離隔距離、即ち、台形の高さ寸法は次第に短くなるようにされているが、台形における一組の平行な対辺のそれぞれの長さ寸法は略一定となるようにされている。
【００２６】
また、本実施形態では、露出部４４の軸直角方向での断面形状である台形における一組の平行な対辺のそれぞれの中点が、一組の平行な対辺の両方に対して垂直に交わる一本の直線上に位置せしめられている。そして、本実施形態では、このような条件を満たす台形断面で露出部４４が軸方向の一端側から他端側へと延びるように形成されている。
【００２７】
すなわち、本実施形態では、露出部４４の軸直角方向での断面形状である台形において一組の平行な対辺のうち長さが短いほうを構成する面４６（以下、第一の対辺構成面４６と称する）と、一組の平行な対辺のうち長さが長いほうを構成する面４８（以下、第二の対辺構成面４８と称する）との両方が、略一定の幅寸法で軸方向の一端側から他端側へと延びる平面とされているのであり、また、露出部４４の軸直角方向での断面形状である台形における二つの斜辺を構成する面のそれぞれが、軸方向の一端側から他端側へと行くに従って幅狭となるように延びる平面とされているのである。
【００２８】
そして、上述の如く、露出部４４の軸直角方向での断面形状である台形の高さ寸法が軸方向の一端側から他端側へと行くに従って次第に小さくなるように、本実施形態では、第二の対辺構成面４８が軸方向の一端側から他端側へと行くに従って次第に第一の対辺構成面４６に接近する方向へ傾斜せしめられている。
【００２９】
また、第一の対辺構成面４６は第二の対辺構成面４８よりも幅狭とされており、特に本実施形態では、第一の対辺構成面４６の幅寸法は第二の対辺構成面４８の幅寸法の略半分とされている。
【００３０】
また、このような露出部４４の軸方向一端側には、露出部４４の軸直角方向での断面（台形断面）よりも大きな断面を有する一端側取付部５０が一体形成されている一方、露出部４４の軸方向他端側にも、露出部４４の軸直角方向での断面（台形断面）よりも大きな断面を有する他端側取付部５２が一体形成されている。
【００３１】
そこにおいて、本実施形態では、一端側取付部５０と他端側取付部５２のそれぞれにおける第一の対辺構成面４６側の面が、第一の対辺構成面４６と面一とされた平坦な部分を備えている。これにより、一端側取付部５０と他端側取付部５２のそれぞれにおいて第一の対辺構成面４６側の面における平坦な部分と第一の対辺構成面４６とが同一平面上に位置せしめられて滑らかに接続されている。
【００３２】
また、本実施形態の一端側取付部５０には、導光ロッド４２の軸方向一端側の端面５５に向かって次第に断面積が大きくなる膨出部としての膨出部分５４が設けられている。そこにおいて、本実施形態では、膨出部分５４の断面積は、直線的な割合で大きくなるようになっており、特に本実施形態では、厚さ寸法が一定とされた状態で、幅寸法が直線的な割合で大きくなることにより、膨出部分５４の断面積が直線的な割合で大きくなるようになっている。また、本実施形態では、膨出部分５４の端面５５は、露出部４４の軸方向、即ち、導光ロッド４２の長手方向に対して傾斜している。これにより、膨出部分５４の断面積は、導光ロッド４２の長手方向（導光ロッド４２の中心軸線：Ｌ１が延びる方向）の他端側から一端側へ行くに従って次第に大きくなった後、徐々に小さくなるようになっている。更にまた、本実施形態の膨出部分５４は、導光ロッド４２の中心軸線：Ｌ１に直交する方向へ広がる割合が、一方の側（図７における上側）と他方の側（図７における下側）とで異なっており、特に本実施形態では、他方の側へ広がる割合が一方の側へ広がる割合よりも大きく設定されている。また、膨出部分５４には、端面５５に開口する凹部９６が形成されており、特に本実施形態では、凹部９６は、端面５５と膨出部分５４の厚さ方向両面に開口する溝状に形成されている。
【００３３】
なお、このような導光ロッド４２は、射出成形等によって有利に成形される。
【００３４】
また、本実施形態では、導光ロッド４２における第一の対辺構成面４６に対して、反射層としての反射テープ５６が貼付されている。この反射テープ５６は、白色顔料を含む塗料が塗布されたテープによって構成されている。そして、このような反射テープ５６は、白色顔料を含む塗料が塗布された面が第一の対辺構成面４６に貼り付けられるようになっており、特に本実施形態では、一端側取付部５０や他端側取付部５２のそれぞれにおいて第一の対辺構成面４６側に位置する面にも、反射テープ５６が貼り付けられるようになっている。なお、上述の説明から明らかなように、本実施形態では、反射テープ５６において導光ロッド４２に貼り付けられるほうの面が反射面とされているのである。
【００３５】
そして、上述の如く反射テープ５６が貼付された導光ロッド４２は、一端側取付部５０がハウジング５８に収容されるようになっている。このハウジング５８は、第一乃至第三のハウジング構成部材６０，６２，６４によって構成されている。
【００３６】
そこにおいて、第一のハウジング構成部材６０は、ＡＢＳ等の硬質の合成樹脂材料によって形成されており、全体として円板形状を呈している。また、第一のハウジング構成部材６０には、ステッピングモータによって構成された電動モータ６１（後述する）の回転駆動力が伝達されることで回転駆動せしめられる駆動軸６６が、その中心軸線を第一のハウジング構成部材６０、延いては、ハウジング５８の中心軸線：Ｌ２と共通にして、突設されている。これにより、第一のハウジング構成部材６０に連結された駆動軸６６に電動モータ６１の駆動力が伝達されることで、第一のハウジング構成部材６０、延いては、ハウジング５８が、駆動軸６６の中心軸線、即ち、ハウジング５８の中心軸線：Ｌ２回りに回動するようになっている。このことから明らかなように、ハウジング５８の中心軸線：Ｌ２がハウジング５８の回動中心軸線とされているのである。
【００３７】
このような第一のハウジング構成部材６０に対して、導光ロッド４２における一端側取付部５０がねじ止め固定されるようになっている。具体的には、図１０に示されているように、本実施形態の場合、第一のハウジング構成部材６０に形成された収容凹部６８に対して導光ロッド４２の一端側取付部５０を収容位置せしめると共に、一端側取付部５０の幅方向（導光ロッド４２の中心軸線：Ｌ１に直交する方向）の他方の側に突設された突出片７４に形成されている位置決め用孔７６に対して第一のハウジング構成部材６０に突設された位置決め用突起７８を挿通せしめることにより、第一のハウジング構成部材６０に対して一端側取付部５０、延いては、導光ロッド４２を第一のハウジング構成部材６０に位置決めした後、一端側取付部５０において導光ロッド４２の中心軸線：Ｌ１に直交する方向の一方の側に突設された突出片７０に形成されているねじ孔７２に挿通されるねじ７３によって、導光ロッド４２を第一のハウジング構成部材６０にねじ止め固定するようになっている。
【００３８】
このように導光ロッド４２が第一のハウジング構成部材６０に固定されることにより、導光ロッド４２は、図１０に示されているように、その中心軸線：Ｌ１が第一のハウジング構成部材６０の回動中心：Ｏ、即ち、中心軸線：Ｌ２と交わった状態とされて、駆動軸６６の軸直角方向に突出せしめられるようになっている。特に、本実施形態では、駆動軸６６の軸方向での投影において、露出部４４の略全体が第一のハウジング構成部材６０の外周面よりも外側に位置するようになっている。そして、上述の如く、導光ロッド４２が第一のハウジング構成部材６０に固定されることにより、導光ロッド４２は、第一のハウジング構成部材６０、延いては、ハウジング５８と一体的に回動せしめられるようになっている。
【００３９】
また、上述の如く、導光ロッド４２が第一のハウジング構成部材６０に固定された状態では、図１０に示されているように、中心軸線：Ｌ２が延びる方向の投影において、膨出部分５４が中心軸線：Ｌ２よりも導光ロッド４２の長手方向一端側に位置せしめられるようになっている。
【００４０】
また、上述の如き構造とされた第一のハウジング構成部材６０には、第二のハウジング構成部材６２が組み付けられるようになっている。この第二のハウジング構成部材６２は、第一のハウジング構成部材６０と同様に、ＡＢＳ等の硬質の合成樹脂材料によって形成されており、全体として弓の如き形状を呈している。このような第二のハウジング構成部材６２は、周方向両端のそれぞれに突出形成された組付用突起８０が第一のハウジング構成部材６０に形成された組付用穴８２に挿通されることにより、第一のハウジング構成部材６０に対して組み付けられるようになっている。
【００４１】
そこにおいて、本実施形態では、図１０や図１１に示されているように、発光源としてのフルカラーＬＥＤ８４が実装されたＬＥＤ基板８６を第二のハウジング構成部材６２に形成された切欠８８内に収容位置せしめると共に、ＬＥＤ基板８６に形成された一対の係止片９０，９０のそれぞれを第二のハウジング構成部材６２に係止させた状態で、第二のハウジング構成部材６２を第一のハウジング構成部材６０に対して組み付けるようになっている。そして、このようにして、第二のハウジング構成部材６２が第一のハウジング構成部材６０に組み付けられた状態で、図面上では明示されていないが、ＬＥＤ基板８６の幅方向両端、即ち、ＬＥＤ基板８６において一対の係止片９０，９０が突出する方向に直交する方向であって、且つ、一対の係止片９０，９０が形成されたほうとは反対側の端部は、それぞれ、第一のハウジング構成部材６０に形成された切欠９２の内周面に開口する溝９４内に位置せしめられるようになっている。
【００４２】
また、上述の如く、ＬＥＤ基板８６が第一のハウジング構成部材６０と第二のハウジング構成部材６２によって支持された状態下において、ＬＥＤ基板８６に実装されているフルカラーＬＥＤ８４は、図１０に示されているように、導光ロッド４２の膨出部分５４の端面５５に開口形成された凹部９６に入り込むようにして配されている。特に、本実施形態の凹部９６は、フルカラーＬＥＤ８４の幅寸法よりも大きな寸法で開口する開口部を有していると共に、フルカラーＬＥＤ８４の高さ寸法よりも大きな深さ寸法を有しており、それによって、凹部９６内にフルカラーＬＥＤ８４の略全体が収容されるようになっている。また、本実施形態の凹部９６は、膨出部分５４の厚さ方向両側と端面５５とに開口する溝形状を呈していることから、導光ロッド４２が固定された第一のハウジング構成部材６０に対してＬＥＤ基板８６を組み付ける際に、或いは、ＬＥＤ基板８６が組み付けられた第一のハウジング構成部材６０に導光ロッド４２を固定する際に、凹部９６にフルカラーＬＥＤ８４が入り込むようになっている。即ち、本実施形態では、導光ロッド４２を第一のハウジング構成部材６０に固定する方向や、ＬＥＤ基板８６を第一のハウジング構成部材６０に組み付ける方向に対して、凹部９６が開口しているのである。
【００４３】
なお、上述の如く、ＬＥＤ基板８６が第一のハウジング構成部材６０と第二のハウジング構成部材６２によって支持された状態下において、ＬＥＤ基板８６においてフルカラーＬＥＤ８４が実装された面と反対側の面に実装されたコネクタ（図示せず）は、第一のハウジング構成部材６０に形成された切欠９２内に位置せしめられるようになっている。
【００４４】
更にまた、上述の如き第一のハウジング構成部材６０と第二のハウジング構成部材６２に組み付けられる第三のハウジング構成部材６４は、第一のハウジング構成部材６０や第二のハウジング構成部材６２と同様に、ＡＢＳ等の硬質の合成樹脂材料によって形成されており、全体として底壁と周壁を備えたカップ形状を呈している。
【００４５】
このような第三のハウジング構成部材６４は、第二のハウジング構成部材６２が組み付けられた第一のハウジング構成部材６０に対して、底壁が対向位置せしめられるように被せられて組み付けられた状態でねじ止め固定されるようになっている。これにより、導光ロッド４２の一端側取付部５０とフルカラーＬＥＤ８４がハウジング５８に収容されるようになっている。
【００４６】
そこにおいて、第三のハウジング構成部材６４には、周壁部分の適当な位置において切欠が設けられており、それによって、上述の如く第三のハウジング構成部材６４を第一のハウジング構成部材６０に対して被せるように組み付けた状態で、これらの切欠内に導光ロッド４２や第二のハウジング構成部材６２が位置せしめられるようになっている。その結果、フルカラーＬＥＤ８４の発する光が導光ロッド４２に対して入射する方向で外部へ漏れ難くなるように、導光ロッド４２の一端側取付部５０とフルカラーＬＥＤ８４がハウジング５８によって覆い隠されるようになっている。
【００４７】
換言すると、導光ロッド４２は、長手方向一端側がハウジング５８に差し入れられた状態で固定されていることにより、長手方向他端側がハウジング５８から延び出すようになっているのである。
【００４８】
なお、ハウジング５８の内部空間は外部空間と遮断されていることが望ましいが、本実施形態のように、第一のハウジング構成部材６０に形成された切欠９２を通じて、第一のハウジング構成部材６０の裏面側、即ち、駆動軸６６が突設された面の側から外部空間と連通していても良い。要するに、フルカラーＬＥＤ８４の発する光が導光ロッド４２に対して入射する方向で外部へ漏れ難くされていれば、棒状発光装置４０のセンター飾り３２への取付状態で遊技者に視認され難い部分を通じて、ハウジング５８の内部空間が外部空間と連通していても良い。
【００４９】
また、図面上では明示されていないが、上述の如く、第三のハウジング構成部材６４が第一のハウジング構成部材６０と第二のハウジング構成部材６２に組み付けられた状態で、ＬＥＤ基板８６に設けられた一対の係止片９０，９０は、それぞれ、第三のハウジング構成部材６４の内面に形成された溝内に位置せしめられている。
【００５０】
そこにおいて、本実施形態では、ハウジング５８を構成する部材のうち、第一のハウジング構成部材６０と第三のハウジング構成部材６４に対してメッキ処理が施されている。これにより、ハウジング５８の内面１００のうち少なくとも幅広側端面５５に形成された凹部９６においてフルカラーＬＥＤ８４が発する光が入射する面よりも軸方向他端側の領域が鏡面とされている。即ち、本実施形態では、一端側取付部５０を取り囲む領域の略全体が鏡面とされているのであり、その結果、ハウジング５８の内面１００の殆どの部分が鏡面とされているのである。
【００５１】
このような構造とされたハウジング５８には、電動モータ６１の出力軸に設けられた出力歯車６３と、出力歯車６３に噛み合わされた中間歯車６５と、駆動軸６６に設けられて、中間歯車６５に噛み合わされた伝達歯車６７を介して、電動モータ６１の駆動力が伝達されるようになっている。これにより、ハウジング５８が一軸回りに回動せしめられるようになっている。その結果、導光ロッド４２が軸方向一端側を中心にして一軸回りに回動せしめられるようになっている。なお、このことから明らかなように、本実施形態では、出力歯車６３と中間歯車６５と伝達歯車６７によって減速歯車列６９が構成されている。そして、かかる減速歯車列６９と電動モータ６１によって駆動機構４３が構成されている。
【００５２】
また、本実施形態では、導光ロッド４２の軸方向他端側には、カバー部材１０２が設けられている。このカバー部材１０２は、第一のカバー構成部材１０４と第二のカバー構成部材１０６が導光ロッド４２における軸方向他端側に設けられた他端側取付部５２を内部に収容するようにして組み付けられた状態でねじ止め固定されることにより、導光ロッド４２の軸方向他端側に取り付けられるようになっている。これにより、後述の如く露出部４４内を進んできた光が導光ロッド４２における他端側取付部５２から外部へと漏れ難いように、導光ロッド４２の軸方向他端側がカバー部材１０２で覆い隠されているのである。その結果、本実施形態では、導光ロッド４２における露出部４４のみが遊技者に視認されるようになっている。なお、カバー部材１０２を構成する各部材１０４，１０６は、ＡＢＳ等の硬質の合成樹脂材料によって形成されている。
【００５３】
そこにおいて、本実施形態では、カバー部材１０２を構成する各部材１０４，１０６に対してメッキ処理が施されており、それによって、カバー部材１０２の内面１０８の全体が鏡面とされている。
【００５４】
このような構造とされた棒状発光装置４０は、例えば、減速歯車列６９が収容されるギアボックス１１０が、センター飾り３２の適当な位置に対して、ねじ等の固定手段で固定されることにより、センター飾り３２に対して取り付けられるようになっている。なお、ギアボックス１１０には、装置本体４１の回動位置を検出する回動位置検出装置（図示せず）が取り付けられた検出装置支持部材１１２が固定されている。そして、かかる回動位置検出装置による装置本体４１の回動位置の検出に基づいて、装置本体４１が回動制御されるようになっている。
【００５５】
そこにおいて、棒状発光装置４０がセンター飾り３２に取り付けられた状態で、導光ロッド４２における第一の対辺構成面４６は液晶表示器３４の表示画面側、即ち、遊技者側とは反対側に位置せしめられている一方、導光ロッド４２における第二の対辺構成面４８は遊技者側に位置せしめられている。
【００５６】
そして、本実施形態では、例えば、液晶表示器３４の表示画面において複数の特別図柄が所定の図柄組み合わせで停止表示される可能性がある場合や、特別遊技状態が発生している場合等において、電動モータ６１の回転駆動力が減速歯車列６９を介して駆動軸６６に伝達されて、導光ロッド４２が液晶表示器３４の表示画面の前方で一軸回りに回動せしめられるようになっている。
【００５７】
このような構造とされた棒状発光装置４０においては、導光ロッド４２の軸方向一端側に膨出部分５４が形成されており、かかる膨出部分５４が、導光ロッド４２の第一のハウジング構成部材６０への固定状態であって、且つ、中心軸線：Ｌ２が延びる方向への投影において、中心軸線：Ｌ２よりも導光ロッド４２の軸方向一端側（長手方向一端側）に位置せしめられるようになっていることから、導光ロッド４２の軸方向（長手方向）での重量バランスを有利に確保することが可能となる。その結果、電動モータ６１への負担を軽減することが可能となる。
【００５８】
また、膨出部分５４の端面５５側にフルカラーＬＥＤ８４が実装されたＬＥＤ基板８６が位置せしめられていることから、導光ロッド４２の軸方向（長手方向）での重量バランスを一層有利に確保することが可能となる。その結果、電動モータ６１への負担を一層軽減することが可能となる。
【００５９】
そこにおいて、本実施形態では、凹部９６が端面５５と膨出部分５４の厚さ方向両側に開口する溝形状とされていることから、ＬＥＤ基板８６が組み付けられた第一のハウジング構成部材６０に導光ロッド４２を固定する場合や、導光ロッド４２が固定された第一のハウジング構成部材６０にＬＥＤ基板８６を組み付ける場合において、これらの作業を容易に行うことが可能となる。
【００６０】
また、本実施形態では、電動モータ６１の駆動力が減速歯車列６９を介して駆動軸６６に伝達されるようになっていることから、電動モータ６１のトルクを増幅して駆動軸６６に伝達することが可能となる。その結果、採用される電動モータ６１の全体サイズを小さくすることが可能となる。
【００６１】
更にまた、本実施形態では、フルカラーＬＥＤ８４の発する光が導光ロッド４２に入射した後に導光ロッド４２内を軸方向の一端側から他端側へと進むようになっている。
【００６２】
そこにおいて、本実施形態では、導光ロッド４２の露出部４４における第二の対辺構成面４８は、軸方向の一端側から他端側へと行くに従って第一の対辺構成面４６に接近する方向へ傾斜せしめられていることから、導光ロッド４２内に進入してきた光が第一の対辺構成面４６に貼付された反射テープ５６と第二の対辺構成面４８との間での反射を繰り返しながら露出部４４の軸方向の一端側から他端側へ導かれることを有利に実現することが可能となる。その結果、露出部４４内を進む際に反射テープ５６で反射される等して第二の対辺構成面４８を通過する光の量を露出部４４の軸方向の全体に亘って略均一にすることが可能となる。
【００６３】
また、本実施形態では、導光ロッド４２の露出部４４における軸直角方向での断面が台形とされていることから、導光ロッド４２内に進入してきた光のうち光度の弱い光よりも光度の強い光を露出部４４内へ有利に導くことが可能となる。これにより、露出部４４内を進む際に第二の対辺構成面４８を通過する光の大部分を光度の強い光とすることが可能となる。その結果、遊技者に視認される光、即ち、第二の対辺構成面４８を通過する光を鮮明なものにすることが可能となる。
【００６４】
更にまた、本実施形態では、導光ロッド４２における一端側取付部５０とフルカラーＬＥＤ８４がハウジング５８によって覆い隠されていることから、フルカラーＬＥＤ８４が発する光の導光ロッド４２への入射効率を高めることが可能となる。その結果、露出部４４内を進む際に反射テープ５６で反射される等して第二の対辺構成面４８を通過する光の量を確保することが可能となる。
【００６５】
特に、本実施形態では、ハウジング５８の内面１００のうち少なくとも導光ロッド４２に対してフルカラーＬＥＤ８４の発する光が入射する面よりも露出部４４側の略全体が鏡面とされていることから、フルカラーＬＥＤ８４が発する光の導光ロッド４２への入射効率を一層高めることが可能となる。その結果、露出部４４内を進む際に反射テープ５６で反射される等して第二の対辺構成面４８を通過する光の量を一層確保することが可能となる。
【００６６】
加えて、本実施形態では、フルカラーＬＥＤ８４が、ハウジング５８に収容された状態で、導光ロッド４２の膨出部分５４の端面５５に形成された凹部９６内に位置せしめられていることから、導光ロッド４２内に進入してきた光を集光させることが可能となる。その結果、露出部４４内を進む際に反射テープ５６で反射される等して第二の対辺構成面４８を通過する光の量をより一層確保することが可能となる。
【００６７】
特に、本実施形態では、凹部９６が端面５５と膨出部分５４の厚さ方向に開口していることから、膨出部分５４における中心軸線：Ｌ１を挟んで位置せしめられる二つの面による集光効果を有利に得ることが可能となる。その結果、露出部４４内を進む際に反射テープ５６で反射される等して第二の対辺構成面４８を通過する光の量をより一層有利に確保することが可能となる。
【００６８】
また、本実施形態では、導光ロッド４２における他端側取付部５２を覆い隠すカバー部材１０２が取り付けられており、しかも、そのカバー部材１０２の内面１０８が鏡面とされていることから、露出部４４内を軸方向の一端側から他端側へと進む際に反射テープ５６で反射される等して第二の対辺構成面４８を通過せずに軸方向他端側まで到達した光をカバー部材１０２の内面１０８で反射させることにより、露出部４４内を軸方向の他端側から一端側へと進ませることが可能となる。そして、上述の如く反射された光が露出部４４内を軸方向の他端側から一端側へと進む際に反射テープ５６で反射される等して第二の対辺構成面４８を通過するようにすることが可能となる。その結果、露出部４４内を進む際に反射テープ５６で反射される等して第二の対辺構成面４８を通過する光の量をより一層確保することが可能となる。
【００６９】
以上、本発明の一実施形態について詳述してきたが、これはあくまでも例示であって、本発明は、かかる実施形態における具体的な記載によって、何等、限定的に解釈されるものではない。
【００７０】
例えば、図１２に示されているように、膨出部１１４が円錐形状とされた棒状導光部材１１６を採用することも可能である。このような構造の棒状導光部材１１６を採用する場合、膨出部１１４の端面１１８には、有底穴形状とされた凹部１２０が開口形成されることとなる。これにより、凹部１２０に入り込んで配される発光源は、その周囲全体が膨出部１１４によって囲まれることとなる。その結果、発光源の発する光が一層集光されやすくなり、前記実施形態で採用されていた溝状の凹部９６よりも発光源が発する光の入射効率を高めることが可能となる。そこにおいて、凹部１２０の底部は半球状の内面とされていることが望ましく、それによって、発光源が発する光の入射効率をより一層高めることが可能となる。
【００７１】
また、前記実施形態において、棒状発光装置４０はガラス枠等に取り付けられていても良い。
【００７２】
更にまた、前記実施形態では、遊技機用発光装置をパチンコ機に採用した場合の一具体例について詳述してきたが、本発明の遊技機用発光装置は、スロットマシン等に採用することも、勿論可能である。
【００７３】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００７４】
【図１】本発明の棒状発光装置が取り付けられているパチンコ機の正面図。
【図２】同パチンコ機を構成する遊技盤の正面図。
【図３】本発明の棒状発光装置を示す斜視図。
【図４】同棒状発光装置を構成する装置本体の平面図。
【図５】図４におけるＶ−Ｖ断面図。
【図６】図４の装置本体の組立分解図。
【図７】図４の装置本体を構成する導光ロッドの平面図。
【図８】図７におけるＶＩＩＩ−ＶＩＩＩ断面図。
【図９】図７におけるＩＸ−ＩＸ断面図。
【図１０】導光ロッドの固定状態とＬＥＤ基板の支持状態を説明するための平面図。
【図１１】ＬＥＤ基板の支持状態を説明するための斜視図。
【図１２】本発明において採用可能な棒状導光部材の要部を示す斜視図。
【符号の説明】
【００７５】
４０：棒状発光装置，４２：導光ロッド，５４：膨出部分，５５：端面，５８：ハウジング，６１：電動モータ，８４：フルカラーＬＥＤ，９６：凹部
【図１】
2007319261.tif 000003
【図２】
2007319261.tif 000004
【図３】
2007319261.tif 000005
【図４】
2007319261.tif 000006
【図５】
2007319261.tif 000007
【図６】
2007319261.tif 000008
【図７】
2007319261.tif 000009
【図８】
2007319261.tif 000010
【図９】
2007319261.tif 000011
【図１０】
2007319261.tif 000012
【図１１】
2007319261.tif 000013
【図１２】
2007319261.tif 000014